(57)【要約】【課題】移動体通信網内の装置の設定に影響を与えず、容易に増設することが可能である基地局装置を提供する。【解決手段】増設型無線基地局装置５０は、インターネット２４およびゲートウェイ２２を介してＷ−ＣＤＭＡ網２０のコアネットワーク装置１２に接続される。増設型無線基地局装置５０はＷ−ＣＤＭＡ網２０の位置登録エリアとは独立して、独立位置登録エリアを形成する。Ｗ−ＣＤＭＡ端末１０が独立位置登録エリアに入った場合、増設型無線基地局装置５０はコアネットワーク装置１２に対して、Ｗ−ＣＤＭＡ端末１０への着信を増設型無線基地局装置５０へ転送するよう着信転送設定を行う。独立位置登録エリアにあるＷ−ＣＤＭＡ端末１０は、増設型無線基地局装置５０およびインターネット２４を介してＷ−ＣＤＭＡ網２０内のＷ−ＣＤＭＡ端末１０と接続される。【選択図】図１
2005354409.tif 000002
【特許請求の範囲】
【請求項１】
移動体通信端末の所在位置を区分するエリアである位置登録エリアに基づいて移動体通信端末の所在位置を記憶する位置登録を行い、当該位置登録に基づいて移動体通信端末との間の通信回線を接続する移動体通信網交換機と、
前記移動体通信網交換機と移動体通信端末との間の無線通信回線を接続する、位置登録エリア内に配置された無線基地局装置と、を備える移動体通信網に増設される増設型無線基地局装置であって、
前記移動体通信網とは別の通信網である公衆通信網を介して前記移動体通信網交換機に接続され、
前記無線基地局装置に代えて前記増設型無線基地局装置を介して前記移動体通信網交換機と移動体通信端末との間の通信回線を接続するよう前記移動体通信網交換機の動作設定を行い、
前記位置登録とは無関係に移動体通信端末との間の無線通信回線を接続することを特徴とする増設型無線基地局装置。
【請求項２】
請求項１に記載の増設型無線基地局装置であって、
前記移動体通信網は、前記無線基地局装置が自らが配置されている位置登録エリアの情報を含む信号である報知信号を送信し、報知信号を受信した移動体通信端末は位置登録を行うための信号である位置登録信号を前記無線基地局装置に送信して当該無線基地局装置を介して前記移動体通信網交換機に位置登録を行わせる処理を行う移動体通信網であり、
前記増設型無線基地局装置は、
移動体通信端末に対し、報知信号に代えて前記増設型無線基地局装置との間の無線通信回線の接続を要求する信号である増設型基地局報知信号を送信し、
前記増設型基地局報知信号を受信した移動体通信端末は、
位置登録信号を、前記増設型無線基地局装置との間の無線通信回線の接続を許可する信号である回線接続許可信号として前記増設型無線基地局装置に送信し、
前記回線接続許可信号を受信した増設型無線基地局装置は、
前記回線接続許可信号を送信した移動体通信端末との間の無線通信回線を接続可能な状態にすることを特徴とする増設型無線基地局装置。
【請求項３】
請求項２に記載の増設型無線基地局装置であって、
前記移動体通信網は、通信端末が前記移動体通信網交換機を介して移動体通信端末に発呼する際には、前記移動体通信網交換機は移動体通信端末に対し当該通信端末から発呼があった旨を通知する着信信号を送信し、着信信号を受信した移動体通信端末は着信信号に対する応答を行うための信号である着信応答信号を前記無線基地局装置に送信し、当該無線基地局装置を介して前記移動体通信網交換機に着信応答信号を送信し、
着信応答信号を受信した前記移動体通信網交換機は移動体通信端末と当該移動体通信網交換機との間の通信回線を接続する移動体通信網であり、
前記増設型無線基地局装置は、
移動体通信端末との間の無線通信回線の接続が可能な状態となった後においては、
当該移動体通信端末に、無線通信回線の接続が可能な状態を維持するか否かを判断するために擬似的に生成された着信信号である疑似着信信号を定期的に送信し、
前記擬似着信信号に対する当該移動体通信端末からの応答信号である疑似着信応答信号の有無に基づいて、当該移動体通信端末との間の無線通信回線の接続が可能な状態を維持するか否かを判定し、
当該移動体通信端末との間の無線通信回線の接続が可能な状態を維持しないものと判定した場合には、前記増設型無線基地局装置に代えて前記無線基地局装置を介して前記移動体通信網交換機と当該移動体通信端末との間の通信回線の接続が可能となるよう前記移動体通信網交換機の動作設定を行うことを特徴とする増設型無線基地局装置。
【請求項４】
請求項３に記載の増設型無線基地局装置であって、
前記移動体通信網交換機は、移動体通信端末への着信信号を前記増設型無線基地局装置へ転送する動作設定である転送設定を行うことが可能な移動体通信網交換機であり、
前記無線基地局装置に代えて前記増設型無線基地局装置を介して前記移動体通信網交換機と移動体通信端末との間の通信回線を接続するよう前記移動体通信網交換機の動作設定を行う処理は、移動体通信網交換機に対する転送設定を行う処理であり、
前記増設型無線基地局装置に代えて前記無線基地局装置を介して前記移動体通信網交換機と移動体通信端末との間の通信回線の接続が可能となるよう前記移動体通信網交換機の動作設定を行う処理は、移動体通信網交換機に対する転送設定を解除する処理であることを特徴とする増設型無線基地局装置。
【請求項５】
請求項１から請求項４のいずれか１項に記載の増設型無線基地局装置であって、
前記増設型無線基地局装置は前記公衆通信網におけるＩＤ番号を有し、
前記移動体通信網交換機との間の通信回線は、当該ＩＤ番号を以て接続されることを特徴とする増設型無線基地局装置。
【請求項６】
請求項１から請求項５のいずれか１項に記載の増設型無線基地局装置であって、
前記公衆回線網はインターネットであることを特徴とする増設型無線基地局装置。
【請求項７】
請求項１から請求項６のいずれか１項に記載の増設型無線基地局装置であって、
前記移動体通信網はＷ−ＣＤＭＡ網であることを特徴とする増設型無線基地局装置。
【発明の詳細な説明】
【技術分野】
【０００１】
本発明は、移動体通信システムに増設される無線基地局装置に関するものである。
【背景技術】
【０００２】
一般に、移動体通信システムは図３に示すＷ−ＣＤＭＡ網２０のように、コアネットワーク装置１２、無線ネットワーク制御装置１４、無線基地局装置１６、Ｗ−ＣＤＭＡ端末１０などにより構成される。コアネットワーク装置１２は複数の無線ネットワーク制御装置１４を制御するとともに複数の無線ネットワーク制御装置１４との間の通信回線交換を行う。また、他のコアネットワーク装置１２、有線電話網４０あるいは他の移動体通信網に接続され、Ｗ−ＣＤＭＡ網２０内の通信回線交換のみならず有線電話網４０や他の移動体通信網との間の通信回線交換をも行う。無線ネットワーク制御装置１４は、複数の無線基地局装置１６を制御するとともに通信回線交換を行い、無線基地局装置１６は、Ｗ−ＣＤＭＡ端末１０との間で無線通信を行う。
【０００３】
移動体通信システムにおいては、Ｗ−ＣＤＭＡ端末１０の所在位置を区分するエリアである位置登録エリアが定義されており、コアネットワーク装置１２は位置登録エリアに基づいてＷ−ＣＤＭＡ端末１０の所在位置を登録し、その登録に基づいてＷ−ＣＤＭＡ端末１０との間の通信回線を確立する。Ｗ−ＣＤＭＡ端末１０の所在位置の登録は、コアネットワーク装置１２が備える記憶手段にＷ−ＣＤＭＡ端末１０が存在する位置登録エリアの情報を記憶させる処理である位置登録によって行われる。
【０００４】
位置登録が行われる過程においては、無線基地局装置１６は自らが配置されている位置登録エリアの情報を含む信号である報知信号を送信し、報知信号を受信したＷ−ＣＤＭＡ端末１０は位置登録を行うための信号である位置登録信号を無線基地局装置１６に送信し、無線基地局装置１６および無線ネットワーク制御装置１４を介してコアネットワーク装置１２に位置登録を行わせる。
【０００５】
ここで、ある１つのＷ−ＣＤＭＡ端末１０が位置登録されている状態において、別のＷ−ＣＤＭＡ端末１０から、そのＷ−ＣＤＭＡ端末１０へ発呼が行われた際には、コアネットワーク装置１２は、呼び出されるＷ−ＣＤＭＡ端末１０の位置登録エリア内にある全ての無線基地局装置１６に、無線ネットワーク制御装置１４を介して発呼があった旨を通知する着信信号を送信する。着信信号を受信した無線基地局装置１６は位置登録エリア内に着信信号を無線送信する。着信信号を受信したＷ−ＣＤＭＡ端末１０は、着信信号に対する応答信号である着信応答信号を無線基地局装置１６および無線ネットワーク制御装置１４を介してコアネットワーク装置１２に送信し、着信応答信号を受信したコアネットワーク装置１２は、２つのＷ−ＣＤＭＡ端末１０の間の通信回線を確立する。なお、有線電話網４０の通信端末や他の移動体通信網のＷ−ＣＤＭＡ端末１０から発呼があった場合も、同様の通信回線を確立するための処理が行われる。
【０００６】
このような移動体通信システムの構成および動作については、以下の文献に開示されている。
【０００７】
【非特許文献１】立川敬二  監修「Ｗ−ＣＤＭＡ移動通信方式」丸善、２００１年６月
【発明の開示】
【発明が解決しようとする課題】
【０００８】
移動体通信システムの回線設計においては、各位置登録エリアにおいて報知信号や着信信号、あるいは通話信号などを伝送する電波が移動体通信端末に到達しない領域が存在しないよう無線基地局装置が配置されることが好ましい。しかしながら、無線基地局装置のセル半径は数ｋｍ単位で設計されることが多いため、遮蔽された建造物の中や地下のように局所的な領域にまで電波を到達せしめるような回線設計は原則としてなされていない。そこで、領域に合わせたセル半径を呈する無線基地局装置を増設することが考えられるが、そのためには無線ネットワーク制御装置の設定変更や回線容量の増大などのため通信事業者による設備の変更が必要となるため設定作業に労を要する。特に、新築建造物内の領域などでは局所的にサービスエリアを拡大する必要が生じたり、賃貸建造物内の領域などではサービスエリアの拡大または縮小を頻繁に行う必要が生じたりするため、サービスエリアを簡単な作業で拡張または縮小することができることが好ましい。
【０００９】
本発明は、このような課題に対してなされたものであり、無線ネットワーク制御装置およびコアネットワーク装置の設定に影響を与えず、容易に増設することが可能である無線基地局装置を提供する。
【課題を解決するための手段】
【００１０】
本発明は、移動体通信端末の所在位置を区分するエリアである位置登録エリアに基づいて移動体通信端末の所在位置を記憶する位置登録を行い、当該位置登録に基づいて移動体通信端末との間の通信回線を接続する移動体通信網交換機と、前記移動体通信網交換機と移動体通信端末との間の無線通信回線を接続する、位置登録エリア内に配置された無線基地局装置と、を備える移動体通信網に増設される増設型無線基地局装置であって、前記移動体通信網とは別の通信網である公衆通信網を介して前記移動体通信網交換機に接続され、前記無線基地局装置に代えて前記増設型無線基地局装置を介して前記移動体通信網交換機と移動体通信端末との間の通信回線を接続するよう前記移動体通信網交換機の動作設定を行い、前記位置登録とは無関係に移動体通信端末との間の無線通信回線を接続することを特徴とする。
【００１１】
また、本発明に係る増設型無線基地局装置においては、前記移動体通信網は、前記無線基地局装置が自らが配置されている位置登録エリアの情報を含む信号である報知信号を送信し、報知信号を受信した移動体通信端末は位置登録を行うための信号である位置登録信号を前記無線基地局装置に送信して当該無線基地局装置を介して前記移動体通信網交換機に位置登録を行わせる処理を行う移動体通信網であり、前記増設型無線基地局装置は、移動体通信端末に対し、報知信号に代えて前記増設型無線基地局装置との間の無線通信回線の接続を要求する信号である増設型基地局報知信号を送信し、前記増設型基地局報知信号を受信した移動体通信端末は、位置登録信号を、前記増設型無線基地局装置との間の無線通信回線の接続を許可する信号である回線接続許可信号として前記増設型無線基地局装置に送信し、前記回線接続許可信号を受信した増設型無線基地局装置は、前記回線接続許可信号を送信した移動体通信端末との間の無線通信回線を接続可能な状態にする構成とすることが好適である。
【００１２】
また、本発明に係る増設型無線基地局装置においては、前記移動体通信網は、通信端末が前記移動体通信網交換機を介して移動体通信端末に発呼する際には、前記移動体通信網交換機は移動体通信端末に対し当該通信端末から発呼があった旨を通知する着信信号を送信し、着信信号を受信した移動体通信端末は着信信号に対する応答を行うための信号である着信応答信号を前記無線基地局装置に送信し、当該無線基地局装置を介して前記移動体通信網交換機に着信応答信号を送信し、着信応答信号を受信した前記移動体通信網交換機は移動体通信端末と当該移動体通信網交換機との間の通信回線を接続する移動体通信網であり、前記増設型無線基地局装置は、移動体通信端末との間の無線通信回線の接続が可能な状態となった後においては、当該移動体通信端末に、無線通信回線の接続が可能な状態を維持するか否かを判断するために擬似的に生成された着信信号である疑似着信信号を定期的に送信し、前記擬似着信信号に対する当該移動体通信端末からの応答信号である疑似着信応答信号の有無に基づいて、当該移動体通信端末との間の無線通信回線の接続が可能な状態を維持するか否かを判定し、当該移動体通信端末との間の無線通信回線の接続が可能な状態を維持しないものと判定した場合には、前記増設型無線基地局装置に代えて前記無線基地局装置を介して前記移動体通信網交換機と当該移動体通信端末との間の通信回線の接続が可能となるよう前記移動体通信網交換機の動作設定を行う構成とすることが好適である。
【００１３】
また、本発明に係る増設型無線基地局装置においては、前記移動体通信網交換機は、移動体通信端末への着信信号を前記増設型無線基地局装置へ転送する動作設定である転送設定を行うことが可能な移動体通信網交換機であり、前記無線基地局装置に代えて前記増設型無線基地局装置を介して前記移動体通信網交換機と移動体通信端末との間の通信回線を接続するよう前記移動体通信網交換機の動作設定を行う処理は、移動体通信網交換機に対する転送設定を行う処理であり、前記増設型無線基地局装置に代えて前記無線基地局装置を介して前記移動体通信網交換機と移動体通信端末との間の通信回線の接続が可能となるよう前記移動体通信網交換機の動作設定を行う処理は、移動体通信網交換機に対する転送設定を解除する処理である構成とすることが好適である。
【００１４】
また、本発明に係る増設型無線基地局装置においては、前記増設型無線基地局装置は前記公衆通信網におけるＩＤ番号を有し、前記移動体通信網交換機との間の通信回線は、当該ＩＤ番号を以て接続される構成とすることが好適である。
【００１５】
また、本発明に係る増設型無線基地局装置においては、前記公衆回線網としてはインターネットを用いることが好適である。
【００１６】
また、本発明に係る増設型無線基地局装置においては、Ｗ−ＣＤＭＡ網に適用されることが好適である。
【発明の効果】
【００１７】
本発明によれば、無線ネットワーク制御装置およびコアネットワーク装置の設定に影響を与えず、容易に増設することが可能である無線基地局装置を構成することができるため、電波が到達しない領域を簡単な作業で修復することができる。また、新築建築内の領域や賃貸建造物内の領域などにおいても、サービスエリアを簡単な作業で拡張または縮小することができる。また、本発明に係る増設型無線基地局装置は既存の公衆通信網を利用するため、装置が有するべき機能が削減され、小型化を図ることができる。
【発明を実施するための最良の形態】
【００１８】
図１に本発明の実施形態を示す。この実施形態は、本発明に係る増設型無線基地局装置５０をＷ−ＣＤＭＡ方式の移動体通信システムに適用したものである。これは、適用可能な移動体通信システムの一例であり、Ｗ−ＣＤＭＡ方式の他、ＧＳＭ方式、ＰＤＣ方式など様々なものにも適用できることはいうまでもない。Ｗ−ＣＤＭＡ網２０のコアネットワーク装置１２は、ゲートウェイ２２を介してインターネット２４、有線電話網４０および他のコアネットワーク装置１２に接続されている。本発明に係る増設型無線基地局装置５０は、インターネット２４およびゲートウェイ２２を介してＷ−ＣＤＭＡ網２０のコアネットワーク装置１２に接続される。ここで、ゲートウェイ２２は、異なる通信網を接続する際のプロトコル変換や、不要な情報のフィルタリングを行う。また、増設型無線基地局装置５０とコアネットワーク装置１２との間を接続するインターネット２４は、インターネット電話網として用いられることが好適であり、以下、そのような構成であるものとして説明する。
【００１９】
Ｗ−ＣＤＭＡ端末１０は、サービスエリアに存在している場合、無線基地局装置１６から報知信号を定期的に受信している。報知信号は無線基地局装置１６が設置されている位置登録エリアを表すエリアコードの情報を含んでおり、報知信号を受信したＷ−ＣＤＭＡ端末１０は自らが記憶するエリアコードと照合する。報知信号に含まれるエリアコードと自らが記憶するエリアコードとが異なる場合、Ｗ−ＣＤＭＡ端末１０は位置登録信号を無線基地局装置１６に送信する。ここで、報知信号に含まれるエリアコードと自らが記憶するエリアコードが異なる状態は、Ｗ−ＣＤＭＡ端末１０が、ある位置登録エリアから他の位置登録エリアに移動することによって生ずる。すなわち、Ｗ−ＣＤＭＡ端末１０が同一の位置登録エリアに存在する限りにおいては、無線基地局装置１６から報知されるエリアコードが変わることはなく、Ｗ−ＣＤＭＡ端末１０は位置登録信号を送信する必要はないこととなる。
【００２０】
位置登録信号を受信した無線基地局装置１６は、無線ネットワーク制御装置１４を介してコアネットワーク装置１２にその位置登録信号を送信する。位置登録信号には、Ｗ−ＣＤＭＡ端末１０の電話番号と自らが存在する位置登録エリアのエリアコードとが含まれており、コアネットワーク装置１２は、位置登録サーバ１８に電話番号とエリアコードとを対応付けて記憶させる。この、無線基地局装置１６が報知信号を送信し、コアネットワーク装置１２が電話番号とエリアコードとを対応付けて記憶するまでの処理を一般に位置登録という。
【００２１】
このように、Ｗ−ＣＤＭＡ端末１０の位置登録がなされている状態において、有線電話網４０の電話機３０からＷ−ＣＤＭＡ端末１０に対して発呼があった場合の動作およびＷ−ＣＤＭＡ端末１０から有線電話網４０の電話機３０に対して発呼があった場合の動作について説明する。
【００２２】
ここではまず、前者の場合について説明する。有線電話網４０の電話機３０が電話番号をダイヤルすると、電話番号の情報を含むダイヤル信号が有線電話網４０の交換機３２へ送信される。交換機３２はダイヤル信号に基づいて、その電話番号がどの電話網に属するものであるかを判別し、判別された電話網との通信回線を接続する。ここでは、Ｗ−ＣＤＭＡ端末１０に対する発呼を考えているので、判別される電話網はＷ−ＣＤＭＡ網２０であり、交換機３２とコアネットワーク装置１２が接続されることになる。また、交換機３２とコアネットワークとの間には、通信プロトコルの整合を図るためゲートウェイ２２を介在させている。有線電話網４０の交換機３２と接続されたコアネットワーク装置１２は、位置登録サーバ１８を参照し、その電話番号を有するＷ−ＣＤＭＡ端末１０の存在する位置登録エリアを検索し、検索された位置登録エリアに設置されている無線ネットワーク制御装置１４および無線基地局装置１６を介して、他の電話端末からの発呼があった旨を通知する信号である着信信号を送信する。この着信信号の送信は、検索された位置登録エリア内に設置されている全ての無線基地局装置１６を介して行われる。着信信号には、呼び出されるべきＷ−ＣＤＭＡ端末１０の電話番号の情報が含まれており、当該位置登録エリア内に存在する全てのＷ−ＣＤＭＡ端末１０は、この電話番号と自らの電話番号を照合する。着信信号に含まれる電話番号と自らの電話番号とが一致したＷ−ＣＤＭＡ端末１０は、着信信号に対する応答信号である着信応答信号を最寄りの無線基地局装置１６に送信する。着信応答信号を受信した無線基地局装置１６は、無線ネットワーク制御装置１４を介してコアネットワーク装置１２に着信応答信号を送信する。この着信応答信号には、呼び出されるべきＷ−ＣＤＭＡ端末１０が無線通信を行う無線基地局装置１６を特定するための情報が、無線基地局装置１６において付け加えられている。着信応答信号を受信したコアネットワーク装置１２は、無線基地局装置１６を特定するための情報およびＷ−ＣＤＭＡ端末１０の電話番号に基づいて、有線電話網４０の電話機３０から呼び出しがあったＷ−ＣＤＭＡ端末１０との通信回線を接続する。当該通信回線が接続された後、コアネットワーク装置１２は呼び出し信号をＷ−ＣＤＭＡ端末１０に送信し、これを受信したＷ−ＣＤＭＡ端末１０は着信音を再生し、使用者に着信があった旨を知らせる。一方、有線電話網４０の電話機３０とコアネットワーク装置１２との間の通信回線は交換機３２を介して接続されており、交換機３２は電話機３０に相手方を呼び出し中である旨を伝える呼び出し音を再生させる。ここでＷ−ＣＤＭＡ端末１０がオンフック状態とされると、電話機３０からＷ−ＣＤＭＡ端末１０に至るまでの、既に確立されている通信回線を介して通話が可能となる。なお、電話機３０とＷ−ＣＤＭＡ端末１０との間の回線接続は、電話機３０がオフフックによる切断信号を交換機３２へ送信することで解除される。
【００２３】
次に、Ｗ−ＣＤＭＡ端末１０から有線電話網４０の電話機３０に対して発呼があった場合の動作について説明する。Ｗ−ＣＤＭＡ端末１０は、報知信号により最寄りの無線基地局装置１６がどの無線基地局装置１６であるかを認識しており、発呼の際には相手方の電話番号の情報を含む信号であるダイヤル信号をその無線基地局装置１６に発する。ダイヤル信号を受信した無線基地局装置１６は、無線ネットワーク制御装置１４を介してＷ−ＣＤＭＡ端末１０とコアネットワーク装置１２との間の通信回線を接続し、ダイヤル信号をコアネットワーク装置１２に送信する。ダイヤル信号を受信したコアネットワーク装置１２は、ダイヤル信号に基づいて呼び出されるべき電話端末が有線電話網４０に属するものであることを認識し、電話番号の情報を含むダイヤル信号を有線電話網４０の交換機３２へ送信する。交換機３２は、その電話番号に基づいて電話機３０との通信回線を接続する。その後、交換機３２は電話機３０に呼び出し信号を送信し、これを受信した電話機３０は着信音を再生し、電話機使用者に着信があった旨を知らせる。これと同時にコアネットワーク装置１２は、無線ネットワーク制御装置１４および無線基地局装置１６を介して、Ｗ−ＣＤＭＡ端末１０に対し現在電話機３０を呼び出し中である旨の音声信号を再生させる。ここで、電話機３０がオンフック状態とされると、Ｗ−ＣＤＭＡ端末１０から電話機３０に至るまでの、既に確立されている通信回線を介して通話が可能となる。Ｗ−ＣＤＭＡ端末１０と電話機３０との間の通信回線接続は、Ｗ−ＣＤＭＡ端末１０がオフフックによる切断信号をコアネットワーク装置１２へ送信することで解除される。
【００２４】
以上説明した、Ｗ−ＣＤＭＡ網２０内でのＷ−ＣＤＭＡ端末１０の動作を踏まえた上で、本発明に係る増設型無線基地局装置５０が増設され、Ｗ−ＣＤＭＡ端末１０が増設型無線基地局装置５０およびインターネット２４を介してＷ−ＣＤＭＡ網２０に接続される場合の動作について説明する。図２には増設型無線基地局装置５０の構成を示す。増設型無線基地局装置５０は、インターネット２４とＷ−ＣＤＭＡ網２０との間のプロトコル変換を行うプロトコル変換部５２と、インターネット電話網の端末として動作すると共にＷ−ＣＤＭＡ端末１０との回線接続制御を行う交換制御部６０と、Ｗ−ＣＤＭＡ端末１０との無線通信を行うための無線部５４と、Ｗ−ＣＤＭＡ網２０における位置登録に相当する処理を行うためのサーバである独立位置登録サーバ５８および電話番号を管理する番号置き換え参照手段５６とを備える。増設型無線基地局装置５０は、インターネット電話網を介してコアネットワーク装置１２に接続され、Ｗ−ＣＤＭＡ網２０における位置登録エリアとは独立した独自の位置登録エリアを形成する。以下、この位置登録エリアを独立位置登録エリアと称する。増設型無線基地局装置５０は報知信号に相当するものとして増設型基地局報知信号を独立位置登録エリア内に定期的に送信する。この増設型基地局報知信号にはＷ−ＣＤＭＡ網２０のエリアコードと同一の規則を以て発番された独自のエリアコードの情報が含まれている。
【００２５】
Ｗ−ＣＤＭＡ網２０の位置登録エリアから独立位置登録エリアに移動したＷ−ＣＤＭＡ端末１０は、増設型基地局報知信号を受信し、これに含まれるエリアコードと自らが記憶するエリアコードとを照合する。このＷ−ＣＤＭＡ端末１０は、増設型基地局報知信号を初めて受信するまでは、Ｗ−ＣＤＭＡ網２０の位置登録エリアに存在していたのであるから、受信したエリアコードと自らが記憶するエリアコードとは当然一致しない。そこで、Ｗ−ＣＤＭＡ端末１０は、位置登録信号を増設型無線基地局装置５０との間の無線通信回線の接続を許可する信号である回線接続許可信号として増設型無線基地局装置５０に送信する。
【００２６】
回線接続許可信号を受信した増設型無線基地局装置５０は、インターネット電話網およびゲートウェイ２２を介してコアネットワーク装置１２の位置登録サーバ１８へアクセスし、回線接続許可信号を送信したＷ−ＣＤＭＡ端末１０に着信があったときは、インターネット電話網の端末としての増設型無線基地局装置５０に転送するよう転送設定を行う。また、回線接続許可信号に含まれる電話番号を独立位置登録サーバ５８に記憶し、そのＷ−ＣＤＭＡ端末１０が独立位置登録エリア内にあることを記憶する。以下、独立位置登録エリア内におけるこのような処理を独立位置登録とよぶこととする。これは、Ｗ−ＣＤＭＡ網２０内における位置登録に相当するものである。ここで、増設型無線基地局装置５０は複数のＷ−ＣＤＭＡ端末１０を独立位置登録することができ、独立位置登録したＷ−ＣＤＭＡ端末１０の数だけ、それらに対応するインターネット電話網の端末としての電話番号であるインターネット電話番号を保有する。インターネット電話番号は、インターネット２４を電話網として捉えたときの、インターネットアドレスの別の表現であるといえる。Ｗ−ＣＤＭＡ端末１０の電話番号が独立位置登録サーバ５８に記憶される際には、それに対応するインターネット電話番号も対応付けて記憶されている。
【００２７】
独立位置登録によって、Ｗ−ＣＤＭＡ端末１０はあたかもＷ−ＣＤＭＡ網２０の位置登録エリア内に存在するかのように動作する一方で、Ｗ−ＣＤＭＡ網２０のサービスエリア内に当該Ｗ−ＣＤＭＡ端末１０が存在しているか否かにかかわらず、増設型無線基地局装置５０に着信転送が行われるという状態となる。
【００２８】
この状態において、有線電話網４０からＷ−ＣＤＭＡ端末１０に対して発呼があった場合の動作について説明する。有線電話網４０の電話機３０が電話番号をダイヤルすると、電話番号の情報を含むダイヤル信号が有線電話網４０の交換機３２へ送信される。交換機３２はダイヤル信号に基づいて、その電話番号がどの電話網に属するものであるかを判別し、判別された電話網との通信回線を接続する。ここでは、Ｗ−ＣＤＭＡ端末１０に対する発呼を考えているので、判別される電話網はＷ−ＣＤＭＡ網２０であり、交換機３２とコアネットワーク装置１２が接続されることになる。有線電話網４０の交換機３２と接続されたコアネットワーク装置１２は位置登録サーバ１８を参照し、その電話番号を有するＷ−ＣＤＭＡ端末１０の存在する位置登録エリアを検索する。しかしながら、現在の呼び出しに係るＷ−ＣＤＭＡ端末１０に対しては転送設定がなされているので、コアネットワーク装置１２は転送設定に従いインターネット電話網の端末としての増設型無線基地局装置５０に着信転送を行う。着信転送は、コアネットワーク装置１２とインターネット２４との間に設けられたゲートウェイ２２によるインターネット電話網へのプロトコル変換、すなわちインターネット電話網の端末としての増設型無線基地局装置５０に、いわゆる転送電話をかける処理によって行われる。
【００２９】
着信転送を受けた増設型無線基地局装置５０は、交換制御部６０をインターネット電話網を介してコアネットワーク装置１２に接続する。その一方で、番号置き換え参照手段５６が独立位置登録サーバ５８を参照することで、着信転送の受け側の電話番号であるインターネット電話番号に対応するＷ−ＣＤＭＡ端末１０の電話番号を検索し、交換制御部６０はこのＷ−ＣＤＭＡ端末１０の電話番号を以て無線部５４を介してＷ−ＣＤＭＡ端末１０に着信信号を送信する。すなわち、増設型無線基地局装置５０は、一旦コアネットワーク装置１２との通信回線を確立した後に、Ｗ−ＣＤＭＡ端末１０に着信信号を送信するのである。着信信号を送信している間、交換制御部６０はコアネットワーク装置１２を介して接続されている発呼側電話機３０に現在Ｗ−ＣＤＭＡ端末１０を呼び出し中である旨の音声信号を送信する。
【００３０】
着信信号を受信したＷ−ＣＤＭＡ端末１０は、着信応答信号を増設型無線基地局装置５０に送信する。着信応答信号を受信した増設型無線基地局装置５０は、交換制御部６０とＷ−ＣＤＭＡ端末１０との間の通信回線を接続する。当該通信回線が接続された後、交換制御部６０は呼び出し信号をＷ−ＣＤＭＡ端末１０に送信し、これを受信したＷ−ＣＤＭＡ端末１０は着信音を再生し、使用者に着信があった旨を知らせる。ここでＷ−ＣＤＭＡ端末１０がオンフック状態とされると、既に接続されているＷ−ＣＤＭＡ端末１０と交換制御部６０との間の通信回線および既に接続されているコアネットワーク装置１２との間の通信回線によって、電話機３０とＷ−ＣＤＭＡ端末１０との間の通話が可能となる。
【００３１】
次に、Ｗ−ＣＤＭＡ端末１０が独立位置登録されている状態において、Ｗ−ＣＤＭＡ端末１０からＷ−ＣＤＭＡ網２０において位置登録されている別のＷ−ＣＤＭＡ端末１０へ発呼した場合の動作について説明する。以下、独立位置登録されているＷ−ＣＤＭＡ端末１０を第１のＷ−ＣＤＭＡ端末１０と、Ｗ−ＣＤＭＡ網２０において位置登録されている別のＷ−ＣＤＭＡ端末１０を第２のＷ−ＣＤＭＡ端末１０とする。
【００３２】
第１のＷ−ＣＤＭＡ端末１０は、増設型基地局報知信号により、最寄りの無線基地局装置１６が増設型無線基地局装置５０であることを認識しており、発呼の際には相手方の電話番号の情報を含む信号であるダイヤル信号を増設型無線基地局装置５０に送信する。ダイヤル信号を受信した増設型無線基地局装置５０は、交換制御部６０と第１のＷ−ＣＤＭＡ端末１０との間の通信回線を接続する。
【００３３】
その一方で、番号置き換え参照手段５６は独立位置登録サーバ５８を参照することで、第１のＷ−ＣＤＭＡ端末１０の電話番号に対応するインターネット電話番号を検索し、交換制御部６０はこのインターネット電話番号を有するインターネット電話網の端末として、第１のＷ−ＣＤＭＡ端末１０の発したダイヤル信号に基づいて第２のＷ−ＣＤＭＡ端末１０に対して発呼を行う。発呼はダイヤル信号を増設型無線基地局装置５０からインターネット２４上のゲートウェイ２２に送信することで行う。ゲートウェイ２２は、ダイヤル信号に基づいて呼び出されるべき電話端末がどの電話網に属するものであるかを識別する。発呼の対象となる電話端末が、インターネット電話網に属するものである場合には、インターネット電話網のプロトコルを以てその電話端末との接続を図る、すなわちその電話端末に対していわゆるインターネット電話をかける処理を行えばよい。ここで想定しているように当該電話端末がＷ−ＣＤＭＡ網２０に属するものであれば、ゲートウェイ２２はコアネットワーク装置１２に接続され、ダイヤル信号をプロトコル変換を施した上で送信する。コアネットワーク装置１２はダイヤル信号に基づいて、位置登録サーバ１８を参照し、第２のＷ−ＣＤＭＡ端末１０の存在する位置登録エリアを検索し、検索された位置登録エリアに設置されている無線ネットワーク制御装置１４および無線基地局装置１６を介して着信信号を送信する。着信信号には、呼び出されるべきＷ−ＣＤＭＡ端末１０の電話番号の情報が含まれており、着信信号に含まれる電話番号と自らの電話番号とが一致した第２のＷ−ＣＤＭＡ端末１０は、着信応答信号を最寄りの無線基地局装置１６に送信する。着信応答信号を受信した無線基地局装置１６は、無線ネットワーク制御装置１４を介してコアネットワーク装置１２に着信応答信号を送信する。この着信応答信号には、第２のＷ−ＣＤＭＡ端末１０が無線通信を行う無線基地局装置１６を特定するための情報が、無線基地局装置１６において付け加えられている。着信応答信号を受信したコアネットワーク装置１２は、無線基地局装置１６を特定するための情報および第２のＷ−ＣＤＭＡ端末１０の電話番号に基づいて、第２のＷ−ＣＤＭＡ端末１０との通信回線を接続する。当該通信回線が接続された後、コアネットワーク装置１２は呼び出し信号を第２のＷ−ＣＤＭＡ端末１０に送信し、これを受信した第２のＷ−ＣＤＭＡ端末１０は着信音を再生し、使用者に着信があった旨を知らせる。一方、第１のＷ−ＣＤＭＡ端末１０とコアネットワーク装置１２との間の通信回線は、ゲートウェイ２２および増設型基地局装置５０を介して接続されており、増設型基地局装置５０の交換制御部６０は第１のＷ−ＣＤＭＡ端末１０に相手方を呼び出し中である旨を伝える呼び出し音を再生させる。ここで、第２のＷ−ＣＤＭＡ端末１０がオンフック状態とされると、第１のＷ−ＣＤＭＡ端末１０と、第２のＷ−ＣＤＭＡ端末１０との間の通話が可能となる。
【００３４】
コアネットワーク装置１２は、転送設定がなされている限り増設型無線基地局装置５０に着信転送を行う。しかしながら、Ｗ−ＣＤＭＡ端末１０が独立位置登録エリアから外れ、再びＷ−ＣＤＭＡ網２０における位置登録エリアに入ったとしても、それのみによっては転送設定は解除されず、Ｗ−ＣＤＭＡ網２０における位置登録は行われない。したがって、Ｗ−ＣＤＭＡ端末１０が独立位置登録エリアの外に出た場合には、転送設定の解除を増設型無線基地局装置５０が行う必要がある。本発明に係る増設型無線基地局装置５０においては、この処理を以下に説明するポーリングによって行う。
【００３５】
Ｗ−ＣＤＭＡ端末１０が独立位置登録された後、増設型無線基地局装置５０の交換制御部６０は、無線部５４を介して擬似的な着信信号を送信する。ここで、擬似的な着信信号とは、着信転送によって発せられる着信信号とはその使用周波数やデータ構造の規則性は同一であるが、専らポーリングのために発せられる信号である。以下、これを擬似的着信信号とする。Ｗ−ＣＤＭＡ端末１０側では、擬似的着信信号と着信信号との相違は全く認識されない。
【００３６】
擬似的着信信号を受信したＷ−ＣＤＭＡ端末１０は、これに応答する信号として擬似的着信応答信号を増設型無線基地局装置５０に送信する。Ｗ−ＣＤＭＡ端末１０側では、擬似的着信信号と着信信号との相違は全く認識されないことから、擬似的着信応答信号としては着信応答信号と全く同一のものが発せられる。ただし、ポーリングを行うための信号であるという目的の相違から、ここでは擬似的着信応答信号と名称を区別している。
【００３７】
擬似的着信応答信号を受信した増設型無線基地局装置５０は、着信時のように交換制御部６０とＷ−ＣＤＭＡ端末１０との通信回線を接続することなく、交換制御部６０の有する記憶装置（図示せず）に擬似的着信応答信号が受信された旨を記録する。
【００３８】
増設型無線基地局装置５０の交換制御部６０は、定期的に擬似的着信信号を送信し、それに対する擬似的着信応答信号の受信の有無を記録する。ここで所定の回数、擬似的着信応答信号の受信がなかった場合、増設型無線基地局装置５０はＷ−ＣＤＭＡ端末１０が独立位置登録エリア外に出たものと判断し、独立位置登録を解除する。独立位置登録の解除は、インターネット電話網を介してコアネットワーク装置１２の転送設定を解除するとともに、独立位置登録サーバ５８に記憶されているＷ−ＣＤＭＡ端末１０の電話番号およびインターネット電話番号との対応付けの情報などを削除する、あるいは無効なものに書き換えることで行われる。
【００３９】
以上、本発明に係る増設型無線基地局装置５０が適用される通信網および、増設型無線基地局装置５０が増設された場合の動作について説明した。以上の説明では、有線電話網４０の電話機３０から増設型無線基地局装置５０を介してのＷ−ＣＤＭＡ端末１０への発呼、独立位置登録されているＷ−ＣＤＭＡ端末１０から位置登録されているＷ−ＣＤＭＡ端末１０への発呼をとりあげ、コアネットワーク装置１２と増設型無線基地局装置５０との間の通信回線接続に係る端末間接続の動作について主に説明した。しかしながら、接続態様はこれらのものに限られず、Ｗ−ＣＤＭＡ網２０あるいはインターネット２４に接続されている通信網に属する電話端末であれば、独立位置登録されているＷ−ＣＤＭＡ端末１０との接続は可能である。すなわち、独立位置登録されているＷ−ＣＤＭＡ端末１０への発呼はＷ−ＣＤＭＡ網２０のコアネットワーク装置１２からの着信転送によって行われ、独立位置登録されているＷ−ＣＤＭＡ端末１０からの発呼は、インターネット電話網の端末としての増設型無線基地局装置５０から行われるため、Ｗ−ＣＤＭＡ網２０あるいはインターネット２４をまたいで通信可能である電話端末であればどのようなものでも接続可能である。
【００４０】
また、以上の説明では、音声通話を例にとりあげたが、データ通信も可能であることはもちろんである。すなわち、Ｗ−ＣＤＭＡ端末１０と増設型無線基地局装置５０あるいは増設型無線基地局装置５０とコアネットワーク装置１２との間の通信プロトコルを調整しさえすれば、可能な限り多様な通信形態が可能である。
【図面の簡単な説明】
【００４１】
【図１】本発明に係る増設型無線基地局装置をＷ−ＣＤＭＡ方式の移動体通信システムに適用した実施形態を示す図である。
【図２】本発明に係る増設型無線基地局装置の構成を示す図である。
【図３】Ｗ−ＣＤＭＡ方式の移動体通信システムの構成を示す図である。
【符号の説明】
【００４２】
１０  Ｗ−ＣＤＭＡ端末、１２  コアネットワーク装置、１４  無線ネットワーク制御装置、１６  無線基地局装置、１８  位置登録サーバ、２０  Ｗ−ＣＤＭＡ網、２２  ゲートウェイ、２４  インターネット、３０  電話機、３２  交換機、４０  有線電話網、５０  増設型無線基地局装置、５２  プロトコル変換部、５４  無線部、５６  番号置き換え参照手段、５８  独立位置登録サーバ、６０  交換制御部。
【図１】
2005354409.tif 000003
【図２】
2005354409.tif 000004
【図３】
2005354409.tif 000005